(57)【特許請求の範囲】
【請求項１】
ストライク板４に芯出し用基準小孔９を有し、かつ、予め外側框１に固定された外側錠部材２と、この外側錠部材２に対向して内側縦框２１に固定され、かつ、錠箱２４のフロント板２３に芯出し孔４０を有する内側錠部材２２とから成る引き違い戸の錠部材の芯出し構造に於いて、内側錠部材２２の内側カバー３２にドライバー用差込み孔４８を有する垂直壁部４６がカバーされた錠箱２４の内部にメネジ孔２５ａを有する支持板２５を設け、この支持板２５には、先端部が前記芯出し用基準小孔９に、一方、頭部５０が錠箱２４の垂直壁部４６に形成されたドライバー用差し込み孔４８にそれぞれ臨むように芯出し用係合棒２７を螺合状態に常時支持させ、内側錠部材２２は、固着具３１を介し、錠箱２４と内側カバー３２とが相俟って内側縦框２１に固定されていることを特徴とする引き違い戸の錠部材の芯出し構造。
【請求項２】
請求項１に於いて、内側カバー３２には、錠箱のドライバー用差し込み孔４８と対向するドライバー用貫通孔８１が形成されていることを特徴とする引き違い戸の錠部材の芯出し構造。
【請求項３】
請求項１に於いて、錠箱２４の上下の側壁部４４、４５には、錠箱２４を内側縦框２１に仮止めする仮止め固定手段３０が設けられていることを特徴とする引き違い戸の錠部材の芯出し構造。
【請求項４】
ストライク板４に芯出し用基準小孔９を有し、かつ、予め外側框１に固定された外側錠部材２と、この外側錠部材２に対向して内側縦框２１Ａに固定され、かつ、錠箱２４Ａのフロント板２３に芯出し孔４０を有する内側錠部材２２Ａとから成る引き違い戸の錠部材の芯出し構造に於いて、内側錠部材２２Ａの内側カバー３２Ａにドライバー用差込み孔４８を有する垂直壁部４６がカバーされた錠箱２４Ａの内部にメネジ孔２５ａを有する支持板２５を設け、この支持板２５には、先端部が前記芯出し用基準小孔９に、一方、頭部５０が錠箱２４Ａの垂直壁部４６に形成されたドライバー用差し込み孔４８にそれぞれ臨むように芯出し用係合棒２７を螺合状態に常時支持させ、内側錠部材２２Ａは、内側カバー３２Ａに形成された本締め用貫通孔９２、９３に挿入され、かつ、錠箱２４Ａに設けられた本締め用螺合部９０、９１に螺合する固着具３１Ａを介し、内側縦框２１Ａに固定されていることを特徴とする引き違い戸の錠部材の芯出し構造。
【発明の詳細な説明】
【０００１】
【発明の属する技術分野】
本発明は引き違い戸の錠部材の芯出し構造に関する。ここで「錠部材」とは、引き違い戸に於ける外側框に取り付けられる外側錠部材と、この外側錠部材に対向するように内側縦框に取り付けられる内側錠部材とを意味する。
【０００２】
【従来の技術】
一般に引き違い戸の錠部材の芯出し構造は、「錠部材」が鎌用係合孔を有する外側錠部材と鎌を内装する内側錠部材とから成るので、両部材を整合するように引き違い戸の縦框に固定的に取り付けなければ成らない。
【０００３】
そこで、従来、予め外側框に固定的に取付けられた外側錠部材に対し、内側錠部材を内側縦框に取り付ける際に、外側錠部材のストライク板に形成された芯出し用基準小孔、内側錠部材の錠箱のフロント板並びに後部垂直壁にそれぞれ形成された一対の水平貫通孔等にセッテイング用ピンを差し込み、錠部材の芯出した状態で内側錠部材（錠箱及び化粧板）を内側縦框に固定している。
【０００４】
しかしながら、このような従来の錠部材の芯出し構造に於いては、一旦引違錠を引き違い戸の縦框に取付けてしまうと、経験則上（日常）、セッテイング用ピンを捨ててしまったり、或いは紛失してしまうのが一般である。したがって、使用後に再度芯出しの必要性が生じた場合に、新たなセッテイング用ピンを用意しないと、直ちに錠部材の芯出しができないという問題点があった。
【０００５】
【発明が解決しようとする課題】
本発明は以上のような従来の欠点に鑑み、錠部材の使用中に、再度芯出しの必要性が生じた場合、新たなセッテイング用ピンを用意しなくとも直ちに錠部材の芯出しができることを目的とする。
【０００６】
【課題を解決するための手段】
本発明の引き違い戸の錠部材の芯出し構造は、ストライク板４に芯出し用基準小孔９を有し、かつ、予め外側框１に固定された外側錠部材２と、この外側錠部材２に対向して内側縦框２１に固定され、かつ、錠箱２４のフロント板２３に芯出し孔４０を有する内側錠部材２２とから成る引き違い戸の錠部材の芯出し構造に於いて、内側錠部材２２の内側カバー３２にドライバー用差込み孔４８を有する垂直壁部４６がカバーされた錠箱２４の内部にメネジ孔２５ａを有する支持板２５を設け、この支持板２５には、先端部が前記芯出し用基準小孔９に、一方、頭部５０が錠箱２４の垂直壁部４６に形成されたドライバー用差し込み孔４８にそれぞれ臨むように芯出し用係合棒２７を螺合状態に常時支持させ、内側錠部材２２は、固着具３１を介し、錠箱２４と内側カバー３２とが相俟って内側縦框２１に固定されていることを特徴とする。
【０００７】
また本発明の引き違い戸の錠部材の芯出し構造は、ストライク板４に芯出し用基準小孔９を有し、かつ、予め外側框１に固定された外側錠部材２と、この外側錠部材２に対向して内側縦框２１Ａに固定され、かつ、錠箱２４Ａのフロント板２３に芯出し孔４０を有する内側錠部材２２Ａとから成る引き違い戸の錠部材の芯出し構造に於いて、内側錠部材２２Ａの内側カバー３２Ａにドライバー用差込み孔４８を有する垂直壁部４６がカバーされた錠箱２４Ａの内部にメネジ孔２５ａを有する支持板２５を設け、この支持板２５には、先端部が前記芯出し用基準小孔９に、一方、頭部５０が錠箱２４Ａの垂直壁部４６に形成されたドライバー用差し込み孔４８にそれぞれ臨むように芯出し用係合棒２７を螺合状態に常時支持させ、内側錠部材２２Ａは、内側カバー３２Ａに形成された本締め用貫通孔９２、９３に挿入され、かつ、錠箱２４Ａに設けられた本締め用螺合部９０、９１に螺合する固着具３１Ａを介し、内側縦框２１Ａに固定されていることを特徴とする。
【０００８】
【発明の実施の形態】
以下、図１乃至図９に基づき、本発明の実施の形態の一例（第１実施例）を説明する。まず図１は引き違い戸に於ける外側框１の錠部材２と、内側縦框２１の錠部材２２との芯出し構造Ｘを示す概略図である。なお、図１に於いては、錠部材２２の錠箱２４は、仮止め固定手段３０を介して内側縦框２１に固定されていると共に、係合棒２７は外側框１の錠部材２の芯出し用基準小孔９から外れ、かつ、前記錠箱２４に戻されている。また内側カバー３２及び錠箱２４は、複数個の第２固着具３１を介して内側縦框２１に本締めされている。
【０００９】
まず外側框１の錠部材２について説明する。本発明に於いて、外側錠部材２の
内部構造は発明を特定する要件ではないので省略する。
【００１０】
しかして、外側錠部材２は、外側カバー（通称、化粧板又は外側エスカチオンと言う。）３と、ストライク板４と、このストライク板４と外側錠部材２を一体的に結合する第１の固着具５とから成る。前記外側カバー３の開口部６が形成された内部空間７には、キーによって作動するシリンダ錠が内装される。また外側カバー３の内部空間７の下方の中央空間８には、複数個のロックアームを有するロック機構が組み込まれる。
【００１１】
一方、前記ストライク板４には複数個の貫通孔や開口が形成されている。そこで、これらの貫通孔等について説明すると、９はストライク板４の上部に形成された芯出し用基準小孔である。この芯出し用基準小孔９は円形であり、シリンダ錠用内部空間７と連通可能である。一方、１０はストライク板４の下部に形成された鎌用係合孔である。鎌用係合孔１０は矩形状であり、後述する内側錠部材２２の鎌が入り込む。そして、１１はストライク板４の中央部に形成された複数個のロックアーム用貫通孔である。
【００１２】
次に内側縦框２１の錠部材２２について説明する。この内側錠部材２２は、予め外側框１に固定された外側錠部材２に対し、錠箱２４の芯出し孔を外側錠部材２の基準小孔９に一致させた後、内側縦框２１に固定される。
【００１３】
しかして、内側錠部材２２は、フロント板２３を有する錠箱２４と、この錠箱２４内にメネジ孔２５ａを有する支持板２５を介し、ドライバー８０により芯出し用基準小孔９に対して水平移動可能に設けられ芯出し用係合棒２７と、錠箱２４に上下動可能に内装された鎌用駆動板２８と、この駆動板２８の上下動により回動するように錠箱２４に軸支された鎌２９と、錠箱２４を内側縦框２１に仮止めする仮止め固定手段３０と、内側縦框２１に第２の固着具３１を介して直接的又は間接的に固定される内側カバー（通称、化粧板又は内側エスカチオンと言う。）３２と、駆動板２８に一端部が固定された連結棒３３を介して内側カバー３２にスライド自在に設けられた操作片３４とから成る。
【００１４】
そこで、内側錠部材２２の各構成要素についてさらに詳しく説明する。まずフロント板２３の上部には芯出し孔４０が形成されている。芯出し孔４０は錠箱２４を上下に調節すると、外側錠部材２の基準小孔９と一致可能であると共に、これらの孔９、４０が一致した場合には、係合棒２７が貫通状態にセッテイング可能である。またフロント板２３の中央部には外側錠部材２の図示しないロック機構のロックアームが入り込む開口４１が形成されている。さらに、フロント板２３の下部には鎌用開口４２が形成されている。鎌用開口４２は錠箱２４を上下に調節すると、丁度外側錠部材２の鎌用係合孔１０に一致する。
【００１５】
次に錠箱２４は内側框２１の取付け用嵌合孔４３に上下方向に調整できるように多少の余裕を有して嵌め込まれる。錠箱２４は全体として長箱状であり、取付け用嵌合孔４３に縦に配設される。しかして、４４、４５はフロント板２３と交差する上下の側壁部であり、また４６はフロント板２３に対する垂直壁部である。この垂直壁部４６の上下部には第２の固着具３１用メネジ孔４７がそれぞれ形成されている。また垂直壁部４６の上部には係合棒２７をセッテイングするためのドライバー用差し込み孔４８が形成されている。さらに、垂直壁部４６の中央部には垂直案内長孔４９が形成されている。
【００１６】
次に支持板２５は上壁部４４の内壁面に固定的に垂設され、中央部にメネジ孔２５ａを有する。前記係合棒２７は、支持板２５のメネジ孔２５ａに螺合するオネジであり、係合棒２７のプラス又はマイナス溝を有する頭部５０には、ドライバー８０の先端部が係合する。
【００１７】
次に駆動板２８は、図３で示すように全体としてはアングル状の長板であり、錠箱２４内に図示しない垂直ガイド部を介して上下動可能に設けられている。そして、駆動板２８の上端部５５は人差し指状に形成されている。また駆動板２８の親指状部５７側には錠箱の垂直壁部４６と対向する折曲部５８が形成され、この折曲部５８の中央部には連結棒３３の一端部が固定されている。さらに、駆動板２８の下端部には鎌２９のＴ字型ガイド孔６０と係合する突起軸５９が設けられている。
【００１８】
次に鎌２９は、錠箱２４の下端部寄りの部位に横設軸架された横軸６１に軸支され、駆動板２８が下降すると、横軸６１を支点に回転し、鎌用開口４２及び鎌用係合孔１０へと入り込む。
【００１９】
次に仮止め固定手段３０は錠箱２４の上下側壁部４４、４５の外壁面にそれぞれ固定的に設けられている。仮止め固定手段３０自体の構成に付いては、出願人が特開平７−２８６４６０号公報ですでに提案済みである。この公開公報には錠箱の仮止め構造の実施例をいくつか記載してある。したがって、図１の仮止め固定手段３０は錠箱２４を内側框２１に仮止めする一例に過ぎない。
【００２０】
しかして、６５は錠箱２４の側壁部４４、４５に固定され、かつ、一端部に内側框２１に外拡変位して圧接するアーム状圧接部６５ａを有する固定片で、この固定片６５の他端部には仮止めネジ６６と螺合するネジ部６５ｂが設けられている。なお、仮止めネジ６６をドライバーで締めると、その先端部がアーム状圧接部６５ａを押圧する。
【００２１】
次に内側カバー３２は複数個の第２の固着具３１を介して錠箱２４に固定されている。したがって、内側錠部材２２は、第２の固着具３１の本締めにより、錠箱２４のフロント板２３と内側カバー３２とが互いに内側框に密着し、該内側框２１に固定されている。内側カバー３２は意匠的には化粧板としての装飾的機能を有する。しかして、内側カバー３２の中央部には縦方向に切欠部７０が形成されている。そして、この切欠部７０を塞ぐように内側カバー３２の内側には、所要のガイド空間７１を有してガイド支持板７２が固定的に設けられている。
【００２２】
なお、符号８１は内側カバー３２の上端部に形成されたドライバー用貫通孔である。このドライバー用貫通孔８１は、内側カバー３２を錠箱２４に固定する前に係合棒２７を元に戻すことが可能であるから、本発明の必須要件ではない。
【００２３】
次に操作片３４は板状スライド部７５の中央部に摘み部７６を有し、前記ガイド空間７１に設けられている。そして、操作片３４の摘み部７６にはガイド支持板７２の貫通孔を貫通する連結棒３３の他端部が嵌入している。
【００２４】
次に上記構成に於いて、内側錠部材２２を内側框２１に芯出した状態で取付ける場合について説明する。
【００２５】
まず図５で示すように内側框２１の取付け用嵌合孔４３に錠箱２４を遊嵌合する。この場合係合棒２７の全体は錠箱２４内に位置し、その先端部は芯出し孔４０に、一方、頭部５０はドライバー用差し込み孔４８の近くにそれぞれ臨んでいる。
【００２６】
また錠箱２４は内側框２１の取付け用嵌合孔４３内に於いて上下方向に調整可能であると共に、この段階では錠箱２４に内側カバー３２は取り付けられていない。
【００２７】
次に図６で示すようにドライバー８０を錠箱２４のドライバー用差し込み孔４８に差し込み、かつ、係合棒２７の頭部５０の溝にドライバーの先端部を係合させ、係合棒２７を矢印で示すように回す。係合棒２７は支持板２５に螺合しているので、一方向に回転されると、その先端部は芯出し孔４０へと前進し、外側錠部材のストライク板４の芯出し用基準小孔９に入り込む。これにより錠箱の位置決めがなされる。したがって、ストライク板４の芯出し用基準小孔９とフロント板２３の芯出し孔４０が一致しなければ、係合棒２７の先端部は芯出し用基準小孔９に入り込まない。
【００２８】
次に錠箱２４の取付け位置が割り出された（係合棒２７が芯出し用基準小孔９に入り込んだ）状態に於いて、図７で示すように錠箱仮止めを行う。
【００２９】
この錠箱２４の内側框２１に対する仮止めは、ドライバー８０を回し、錠箱２４の仮止め固定手段３０の仮止めネジ６６を締めることにより行われる。すなわち、ドライバー８０で仮止めネジ６６を締めると、固定片６５のアーム状圧接部６５ａが外拡変位して内側框２１に圧接し、錠箱２４は内側框２１に仮止めされる。
【００３０】
次に内側カバー３２を錠箱２４に固定する。この場合内側カバー３２を錠箱２４に固定する前に、ドライバー８０で予め係合棒２７を錠箱２４内に戻しておいても良いが、望ましくは内側カバー３２を錠箱２４に固定した（本締めをした）後に係合棒２７を錠箱２４内に戻すべきである。
【００３１】
しかして、この場合内側カバー３２の操作片３４を予め上方に位置させた状態に於いて、操作片３４の摘み部７６の内部に駆動板２８の連結棒３３の突出他端部を嵌入させ、しかる後に第２の固着具３１を締め、内側カバー３２を錠箱２４並びに内側框２１に固定する。錠箱２４はそのフロント板２３と内側カバー３２とが相俟って内側框２１に確実に固定される。
【００３２】
しかる後に、図９で示すように、ドライバー８０で係合棒２７を錠箱２４内に戻す。このように内側錠部材２２が内側框に芯出し状態で本締めされた後に於いても、係合棒２７は支持板２５に螺合状態で支持されたままそのまま錠箱２４内に存在している。
【００３３】
【実施例】
この実施例の欄では、本発明の第２実施例について説明する。なお、第２実施例の説明に当たって、前記第１実施例と同一構成の部分には同一又は同様の符号を付し、重複する説明を省略する。
【００３４】
図１０乃至図１３は第２実施例の各説明図である。この第２実施例は、錠箱２４Ａの上下の側壁部４４、４５に本締め用螺合部９０、９１をそれぞれ形成した点、及びこれらの本締め用螺合部９０、９１とそれぞれ対向する本締め用貫通孔９２、９３を内側カバー３２Ａの上下端部に形成した点が主に異なる。
【００３５】
すなわち、第１実施例では錠箱２４の上下の側壁部４４、４５に仮止め固定手段３０をそれぞれ設けているのに対し、この第２実施例では本締め用螺合部９０、９１を設けている。そして、前記本締め用螺合部９０、９１は、上下の側壁部４４、４５の外壁面にそれぞれ突出形成されたオネジ部である。
【００３６】
このように構成すると、内側框２１Ａに対する錠箱２４Ａの仮止め工程を省略し、第２の固着具３１Ａを締めることにより、直ちに内側錠部材２２Ａを内側框２１Ａに固定することができる。
【００３７】
すなわち、図１０は第２の固着具３１Ａを用いて内側錠部材２２Ａを内側框２１Ａに固定した後、内側カバー３２Ａのドライバー用貫通孔８１にドライバーの先端部を差し込み、係合棒２７を回し、該係合棒２７を元の位置（錠箱内）に戻した状態を示している。
【００３８】
この図１０に示すような状態にする場合には、まず図１１で示すような状態にする必要がある。図１１は、錠箱２４Ａを内側框２１Ａの取付け用嵌合孔４３に遊嵌合した後、例えばドライバー８０で係合棒２７を回し、係合棒の先端部を芯出し孔４０及び芯出し用基準小孔９に係合させ、錠箱２４Ａの位置決めをした状態を示す。この場合係合棒２７の先端部は、ストライク板４の芯出し用基準小孔９を完全に貫通し、錠箱２４Ａは該係合棒２７及び支持板２５を介し、仮の状態で一時的に外側錠部材のストライク板４に支持される。
【００３９】
そこで、図１２は内側カバー３２Ａを錠箱２４Ａに固定している状態を示す。内側カバー３２Ａは、複数個の第２の固着具３１Ａをその本締め用貫通孔９２（９３）に通し、かつ、錠箱２４Ａの本締め用螺合部９０（９１）にそれぞれ螺合させることにより錠箱２４Ａに固定される。図１２で示すようにドライバー８０で第２の固着具３１Ａを締めると、錠箱２４Ａのストライク板４と内側カバー３２Ａが互いに引き寄せられ、その結果、内側錠部材２２Ａは内側框２１Ａに本締め固定される。この時係合棒２７はまだストライク板４の芯出し用基準小孔９に係合している。
【００４０】
そこで図１３で示すように、ドライバー８０を内側カバー３２Ａのドライバー用貫通孔８１及び錠箱２４Ａドライバー用差し込み孔４８に挿入し、係合棒２７を回し、該係合棒を錠箱２４Ａ内へと戻す。
【００４１】
なお、上記構成に於いては、図１１で示す錠箱２４Ａの位置決めの前に、予め内側カバー３２Ａを第２の固着具３１Ａを介して錠箱２４Ａに仮り装着し、その状態でドライバー８０を内側カバー３２Ａのドライバー用貫通孔８１及び錠箱２Ａドライバー用差し込み孔４８に挿入し、かつ、係合棒２７を回して芯出しを行っても良い。そして、錠箱２４Ａの位置が割り出されたならば、直ちに第２の固着具３１Ａを締め、内側錠部材２２Ａを内側框２１Ａに本締め固定しても良い。
【００４２】
【発明の効果】
以上の説明から明らかなように、本発明にあっては次に列挙するような効果がある。
（１）錠部材の使用中に、再度芯出しの必要性が生じた場合、新たなセッテイング用ピンを用意しなくとも直ちに錠部材の芯出しができる。
（２）請求項３記載の発明は、必ずしも化粧板としての内側カバーにドライバー用貫通孔を形成する必要がない。したがって、意匠的なデザインの要求を満たすことができる。
（３）請求項４記載の発明は、内側框２１Ａに対する錠箱２４Ａの仮止め工程を省略し、第２の固着具３１Ａを締めることにより、直ちに内側錠部材２２Ａを内側框２１Ａに固定することができる。
【図面の簡単な説明】
図１乃至図９は本発明の実施の形態を説明する第１実施例の各説明図。図１０乃至図１３は本発明の第２実施例を示す各説明図。
【図１】第１実施例を示す概略断面説明図。
【図２】主要部（支持板及び係合棒）の概略説明図。
【図３】駆動板を示す斜視図。
【図４】要部（内側カバー等）を示す斜視図。
【図５】錠箱を内側框に遊嵌合した状態の概略断面説明図。
【図６】錠箱の位置を割り出しする概略断面説明図。
【図７】錠箱を仮止めする概略断面説明図。
【図８】内側錠部材を内側框に本締め固定する概略断面説明図。
【図９】係合棒を錠箱内に戻す概略断面説明図。
【図１０】第２実施例を示す概略断面説明図。
【図１１】錠箱の位置を割り出しする概略説明図。
【図１２】内側錠部材を内側框に本締め固定する概略説明図。
【図１３】係合棒を錠箱内に戻す概略説明図。
【符号の説明】
Ｘ…芯出し構造、１…外側框、２…外側錠部材、３…外側カバー、４…ストライク板、５…第１の固着具、９…芯出し用基準小孔、１０…鎌用係合孔、２１、２１Ａ…内側框、２２、２２Ａ…内側錠部材、２３…フロント板、２４、２４Ａ…錠箱、４０…芯出し孔、４２…鎌用開口、２５…支持板、２５ａ…メネジ孔、２７…係合棒、５０…頭部、２８…駆動板、２９…鎌、３０…仮止め固定手段、６５…固定片、３１、３１Ａ…第２の固着具、３２、３２Ａ…内側カバー、７０…切欠部、７１…ガイド空間、７２…ガイド支持板、３３…連結棒、３４…操作片、７６…摘み部、８０…ドライバー、８１…ドライバー用貫通孔、９０、９１…本締め用螺合部、９２、９３…本締め用貫通孔。
【図１】
0003891506.tif 000002
【図２】
0003891506.tif 000003
【図３】
0003891506.tif 000004
【図４】
0003891506.tif 000005
【図５】
0003891506.tif 000006
【図６】
0003891506.tif 000007
【図７】
0003891506.tif 000008
【図８】
0003891506.tif 000009
【図９】
0003891506.tif 000010
【図１０】
0003891506.tif 000011
【図１１】
0003891506.tif 000012
【図１２】
0003891506.tif 000013
【図１３】
0003891506.tif 000014